(57)【要約】【課題】ワイヤーハーネス用プロテクターにおけるガタツキによる異音を抑制する。【解決手段】ワイヤーハーネス収容体には、溝が形成される。溝の三方は底壁、第１の側壁及び第２の側壁に囲まれ、溝の一方は開口になっている。蓋は、第１の側部及び第２の側部を有する。メスロックは、第１の側壁に結合される。オスロックは、蓋の第１の側部に結合される。オスロックは、蓋が開口を塞いでいる場合にメスロックに挿される。押圧機構は、蓋の第１の側部に結合される。押圧機構は、蓋が開口を塞いでいる場合に開口から底壁へ向かう方向に第１の側壁を押圧する。【選択図】図１
2014187826.tif 000002
【特許請求の範囲】
【請求項１】
底壁、第１の側壁及び第２の側壁を備え、溝が形成され、前記溝の三方が前記底壁、前記第１の側壁及び前記第２の側壁に囲まれ、前記溝の一方が開口になっているワイヤーハーネス収容体と、
第１の側部及び第２の側部を有する蓋と、
前記第１の側壁に結合され、引っ掛け部を備え、前記引っ掛け部及び前記第１の側壁の間に間隙が形成され、前記間隙が定常距離より広がる方向に前記引っ掛け部がたわむことができるメスロックと、
前記第１の側部に結合され、前記蓋が前記開口を塞いでいる場合に前記メスロックに挿され、根元部及び先端部を備え、前記根元部の最大厚が前記定常距離より薄く、前記先端部の最大厚が前記定常距離より厚く、前記蓋が前記開口を塞いでいる場合に前記根元部が前記間隙に配置され前記先端部が前記間隙より前記底壁寄りに配置されるオスロックと、
前記第１の側部に結合され、前記蓋が前記開口を塞いでいる場合に前記開口から前記底壁へ向かう方向に前記第１の側壁を押圧する押圧機構と、
を備えるワイヤーハーネス用プロテクター。
【請求項２】
前記押圧機構が板バネである
請求項１のワイヤーハーネス用プロテクター。
【請求項３】
前記第１の側壁に結合され、前記第１の側壁と垂直をなし、前記押圧機構に押圧される鍔、
をさらに備え、
前記押圧機構は、
前記鍔を介して間接的に前記第１の側壁を押圧する
請求項１又は請求項２のワイヤーハーネス用プロテクター。
【請求項４】
前記蓋が前記開口を塞いでいる状態及び塞いでいない状態の間で前記蓋が回転できるように前記第２の側部を前記第２の側壁に結合する薄肉ヒンジ
をさらに備える請求項１から請求項３までのいずれかのワイヤーハーネス用プロテクター。
【請求項５】
請求項１から請求項４までのいずれかのワイヤーハーネス用プロテクターと、
前記溝に収容されるワイヤーハーネスと、
を備えるプロテクター付きワイヤーハーネス。
【発明の詳細な説明】
【技術分野】
【０００１】
本発明は、ワイヤーハーネス用プロテクター及びプロテクター付きワイヤーハーネスに関する。
【背景技術】
【０００２】
図１１の斜視図及び図１２の断面図は、従来のワイヤーハーネス用プロテクター９１００を模式的に示す。
【０００３】
図１１及び図１２に示されるように、ワイヤーハーネス用プロテクター９１００は、ワイヤーハーネス収容体９１２０、蓋９１２１、メスロック９１２２及びオスロック９１２３を備える。ワイヤーハーネス収容体９１２０の溝９１４０には、ワイヤーハーネスが収容される。蓋９１２１が溝９１４０の開口を塞いでいる場合は、オスロック９１２３がメスロック９１２２に挿され、オスロック９１２３をメスロック９１２２から抜く力が加わっても、オスロック９１２３がメスロック９１２２に引っ掛かり、オスロック９１２３がメスロック９１２２から抜けない。
【０００４】
特許文献２は、オスロック及びメスロックの間に隙間があることがガタツキによる異音の原因となることを指摘する。特許文献２は、当該異音を抑制するためのオスロック及びメスロックの構造を提案する。
【先行技術文献】
【特許文献】
【０００５】
【特許文献１】特開２０１０−２３３３３０号公報
【発明の概要】
【発明が解決しようとする課題】
【０００６】
しかし、従来のワイヤーハーネス用プロテクター９１００においては、特許文献１が指摘するように、メスロック９１２２及びオスロック９１２３の間に隙間９１６０があることがガタツキによる異音の原因になる。
【０００７】
本発明は、この問題を解決するためになされる。本発明が解決しようとする課題は、ワイヤーハーネス用プロテクターにおけるガタツキによる異音を抑制することである。
【課題を解決するための手段】
【０００８】
本発明の第１から第４までの態様は、ワイヤーハーネス用プロテクターに関する。
【０００９】
本発明の第１の態様においては、ワイヤーハーネス収容体、蓋、メスロック、オスロック及び押圧機構が設けられる。
【００１０】
ワイヤーハーネス収容体は、底壁、第１の側壁及び第２の側壁を備える。ワイヤーハーネス収容体には、溝が形成される。溝の三方は底壁、第１の側壁及び第２の側壁に囲まれ、溝の一方は開口になっている。
【００１１】
蓋は、第１の側部及び第２の側部を有する。
【００１２】
メスロックは、第１の側壁に結合される。メスロックは、引っ掛け部を備える。引っ掛け部及び第１の側壁の間には、間隙が形成される。引っ掛け部は、間隙が定常距離より広がる方向にたわむことができる。
【００１３】
オスロックは、第１の側部に結合される。オスロックは、蓋が開口を塞いでいる場合にメスロックに挿される。オスロックは、根元部及び先端部を備える。根元部の最大厚は定常距離より薄い。先端部の最大厚は、定常距離より厚い。蓋が開口を塞いでいる場合に、根元部が間隙に配置され、先端部が間隙より底壁寄りに配置される。
【００１４】
押圧機構は、第１の側部に結合される。押圧機構は、蓋が開口を塞いでいる場合に開口から底壁へ向かう方向に第１の側壁を押圧する。
【００１５】
本発明の第２の態様は、本発明の第１の態様に技術的事項を付加する。本発明の第２の態様においては、押圧機構が板バネである。
【００１６】
本発明の第３の態様は、本発明の第１又は第２の態様に技術的事項を付加する。本発明の第３の態様においては、鍔が設けられる。鍔は、第１の側壁に結合され、第１の側壁と垂直をなす。押圧機構は、鍔を押圧し、鍔を介して間接的に第１の側壁を押圧する。
【００１７】
本発明の第４の態様は、本発明の第１から第４までのいずれかの態様に技術的事項を付加する。本発明の第４の態様においては、薄肉ヒンジが設けられる。薄肉ヒンジは、第２の側部を第２の側壁に結合する。これにより、蓋が開口を塞いでいる状態及び塞いでいない状態の間で回転できる。
【００１８】
本発明の第５の態様は、プロテクター付きワイヤーハーネスに関する。本発明の第５の態様においては、本発明の第１から第４までのいずれかの態様のワイヤーハーネス用プロテクターの溝にワイヤーハーネスが収容される。
【発明の効果】
【００１９】
本発明によれば、引っ掛け部が先端部に押し付けられる。引っ掛け部及び引っ掛かり部の隙間がなくなる。ガタツキによる異音が抑制される。
【００２０】
本発明の第２の態様によれば、ワイヤーハーネス用プロテクターの製造コストが低下する。
【００２１】
本発明の第３の態様によれば、押圧機構に押圧される面が広がる。第１の側壁が安定して押圧される。
【００２２】
本発明の第４の態様によれば、ワイヤーハーネス用プロテクターの製造コストが低下する。
【００２３】
これらの及びこれら以外の本発明の目的、特徴、局面及び利点は、添付図面とともに考慮されたときに下記の本発明の詳細な説明によってより明白となる。
【図面の簡単な説明】
【００２４】
【図１】ワイヤーハーネス用プロテクターの斜視図である。
【図２】ワイヤーハーネス用プロテクターの断面図である。
【図３】メスロックの近傍の断面図である。
【図４】メスロック及びオスロックの近傍の断面図である。
【図５】板バネの近傍の斜視図である。
【図６】板バネの近傍の斜視図である。
【図７】板バネの近傍の斜視図である。
【図８】板バネの近傍の斜視図である。
【図９】板バネの近傍の斜視図である。
【図１０】板バネの近傍の断面図である。
【図１１】従来のワイヤーハーネス用プロテクターの斜視図である。
【図１２】従来のワイヤーハーネス用プロテクターの断面図である。
【発明を実施するための形態】
【００２５】
図１の斜視図及び図２の断面図は、この実施形態のワイヤーハーネス用プロテクター１０００を模式的に示す。
【００２６】
図１及び図２に示されるように、ワイヤーハーネス用プロテクター１０００は、ワイヤーハーネス収容体１０２０、蓋１０２１、薄肉ヒンジ１０２２、メスロック１０２３、オスロック１０２４、板バネ１０２５及び鍔１０２６を備える。ワイヤーハーネス用プロテクター１０００がこれらの構成物以外の構成物を備えてもよい。
【００２７】
ワイヤーハーネス用プロテクター１０００は、望ましくは一体物であり、さらに望ましくは樹脂からなる一体成形物である。これにより、ワイヤーハーネス用プロテクター１０００の製造コストが低下する。ただし、ワイヤーハーネス用プロテクター１０００が２個以上の部材の結合体であってもよい。ワイヤーハーネス用プロテクター１０００の一部又は全部が樹脂以外の材質からなってもよい。例えば、ワイヤーハーネス用プロテクター１０００の一部又は全部が金属、セラミックス等からなってもよい。
【００２８】
ワイヤーハーネス収容体１０２０は、底壁１０４０、第１の側壁１０４１及び第２の側壁１０４２を備える。
【００２９】
ワイヤーハーネス収容体１０２０には、溝１０６０が形成される。溝１０６０の延在方向は、まっすぐであってもよいし、まがっていてもよい。図２に示されるように、溝１０６０にはワイヤーハーネス１０８０を収容することが予定されている。ワイヤーハーネス１０８０が溝１０６０に収容された場合は、ワイヤーハーネス１０８０が溝１０６０に沿って延在する。
【００３０】
溝１０６０が延在する方向に垂直な四方のうち、三方は底壁１０４０、第１の側壁１０４１及び第２の側壁１０４２に囲まれ、一方は開口１１００になっている。底壁１０４０、第１の側壁１０４１及び第２の側壁１０４２により、ワイヤーハーネス１０８０が保護される。
【００３１】
ワイヤーハーネス１０８０は、開口１１００を経由して溝１０６０に収容される。これにより、ワイヤーハーネス１０８０が筒状物に通される場合と比較して、ワイヤーハーネス用プロテクター１０００がワイヤーハーネス１０８０に容易に装着される。
【００３２】
蓋１０２１は、図２において実線で示される開口１１００を塞いでいる状態及び図２において一点破線で示される開口１１００を塞いでいない状態の間で回転できる。蓋１０２１が開口１１００を塞いでいる場合は、蓋１０２１の第１の側部１１２０が第１の側壁１０４１の上端部１１４０に沿って配置され、蓋１０２１の第２の側部１１２１が第２の側壁１０４２の上端部１１６０に沿って配置される。蓋１０２１が開口１１００を塞いでいない場合は、蓋１０２１の第１の側部１１２０が第１の側壁１０４１の上端部１１４０から離されるが、蓋１０２１の第２の側部１１２１は第２の側壁１０４２の上端部１１６０からほとんど離されない。第１の側壁１０４１の上端部１１４０及び第２の側壁１０４２の上端部１１６０は、開口１１００の両脇にあり、溝１０６０が延在する方向に延在する。
【００３３】
蓋１０２１は、薄肉ヒンジ１０２２を軸として回転する。薄肉ヒンジ１０２２は、第２の側壁１０４２の上端部１１６０に沿い、溝１０６０が延在する方向に延在する。
【００３４】
薄肉ヒンジ１０２２は、蓋１０２１の第２の側部１１２１を第２の側壁１０４２の上端部１１６０に結合する。蓋１０２１の第２の側部１１２１が第２の側壁１０４２の上端部１１６０から少し離れた位置に結合されてもよい。
【００３５】
薄肉ヒンジ１０２２の厚さは蓋１０２１の厚さ及び第２の側壁１０４２の厚さよりも薄く、薄肉ヒンジ１０２２の剛性は蓋１０２１及び剛性及び第２の側壁１０４２の剛性より低い。このため、薄肉ヒンジ１０２２は変形しやすい。変形しやすい薄肉ヒンジ１０２２により蓋１０２１の第２の側部１１２１が第２の側壁１０４２に結合される場合は、薄肉ヒンジ１０２２を軸として蓋１０２１が回転できる。
【００３６】
ワイヤーハーネス用プロテクター１０００が２個以上の部材の結合体である場合は、薄肉ヒンジ１０２２が他の種類のヒンジに置き換えられてもよい。例えば、薄肉ヒンジ１０２２が軸及び軸受を備えるヒンジに置き換えられてもよい。薄肉ヒンジ１０２２が省略されてもよい。薄肉ヒンジ１０２２が省略される場合は、望ましくは、第１の側壁１０４１及び第２の側壁１０４２の両方にメスロック１０２３が結合され、蓋１０２１の第１の側部１１２０及び第２の側部１１２１の両方にオスロック１０２４が結合される。
【００３７】
メスロック１０２３は、第１の側壁１０４１の外面１１８０に結合される。これにより、ワイヤーハーネス１０８０及びメスロック１０２３が干渉しない。ただし、メスロック１０２３が第１の側壁１０４１の内面１１８１に結合されてもよい。
【００３８】
メスロック１０２３は、引っ掛け部１２００、第１の突出部１２０１（図２には図示されていない）及び第２の突出部１２０２を備える。
【００３９】
引っ掛け部１２００は、第１の突出部１２０１及び第２の突出部１２０２を介して第１の側壁１０４１の外面１１８０に結合される。第１の突出部１２０１及び第２の突出部１２０２以外の構造物を介して引っ掛け部１２００が第１の側壁１０４１の外面１１８０に結合されてもよい。
【００４０】
第１の突出部１２０１及び第２の突出部１２０２は、第１の側壁１０４１の外面１１８０から突出する。第１の突出部１２０１及び第２の突出部１２０２は、溝１０６０が延在する方向に離される。引っ掛け部１２００は、第１の突出部１２０１から第２の突出部１２０２へ架け渡される。引っ掛け部１２００は、溝１０６０が延在する方向に延在する。これにより、オスロック１０２４がメスロック１０２３に挿される方向９０００及びオスロック１０２４がメスロック１０２３から抜かれる方向９００１に貫通する間隙１２２０が引っ掛け部１２００及び第１の側壁１０４１の外面１１８０の間に形成される。方向９０００は、開口１１００から底壁１０４０へ向かう方向である。方向９００１は、底壁１０４０から開口１１００へ向かう方向である。
【００４１】
図３の断面図は、メスロック１０２３の近傍を模式的に示す。
【００４２】
引っ掛け部１２００は、加わる応力に応じて弾性変形する。第１の側壁１０４１の外面１１８０と垂直をなし第１の側壁１０４１の外面１１８０から離れる方向９００２の応力が引っ掛け部１２００に加わった場合は、図３の一点破線に示されるように、方向９００２に引っ掛け部１２００がたわみ、間隙１２２０が定常距離Ｄより広がる。方向９００２に引っ掛け部１２００がたわんだ後に方向９００２の応力が引っ掛け部１２００に加わらなくなった場合は、図３の実線に示されるように、方向９００２への引っ掛け部１２００のたわみが解消し、間隙１２２０が定常距離Ｄに戻る。定常距離Ｄは、引っ掛け部１２００に応力が加わらない場合における方向９００２の間隙１２２０の寸法である。
【００４３】
図１及び図２に示されるように、オスロック１０２４は、蓋１０２１の第１の側部１１２０に結合される。オスロック１０２４は、根元部１２４０及び先端部１２４１を備える。根元部１２４０は、蓋１０２１の第１の側部１１２０に結合される。
【００４４】
図４の断面図は、メスロック１０２３及びオスロック１０２４の近傍を模式的に示す。
【００４５】
根元部１２４０の厚さＴ１の最大値（最大厚さ）は定常距離Ｄより薄く、先端部１２４１の厚さＴ２の最大値（最大厚さ）は定常距離Ｄより厚い。このため、根元部１２４０は間隙１２２０を通過でき、先端部１２４１は間隙１２２０が定常距離Ｄより広げられない限り間隙１２２０を通過できない。
【００４６】
図５の斜視図は、板バネの近傍を模式的に示す。
【００４７】
図５に示されるように、板バネ１０２５は、蓋１０２１の第１の側部１１２０に結合される。板バネ１０２５は、蓋１０２１が開口１１００を塞いでいる場合に鍔１０２６に当たる位置に配置される。
【００４８】
板バネ１０２５が他の種類の押圧機構に置き換えられてもよい。例えば、板バネ１０２５がコイルバネ、ゴム片、発砲体片等に置き換えられてもよい。ただし、押圧機構が板バネ１０２５である場合は、押圧機構を蓋１０２１と一体成形することが容易になり、ワイヤーハーネス用プロテクター１０００の製造コストが低下する。
【００４９】
鍔１０２６は、第１の側壁１０４１の上端部１１４０に結合され、第１の側壁１０４１の上端部１１４０から張り出し、第１の側壁１０４０と垂直をなす。これにより、板バネ１０２５により押圧される面が広がり、第１の側壁１０４１が安定して押圧される。
【００５０】
第１の側壁１０４１は、鍔１０２６を介して間接的に押圧されるが、鍔１０２６が省略され、第１の側壁１０４１が直接的に押圧されてもよい。第１の側壁１０４１が直接的に押圧される場合は、蓋１０２１が開口１１００を塞いでいる場合に第１の側壁１０４０の上端部１１４０に当たる位置に板バネ１０２５が配置される。
【００５１】
図６から図９までの斜視図及び図１０の断面図は、板バネ１０２５の近傍を模式的に示す。
【００５２】
図２の一点破線及び図６に示されるように、蓋１０２１が開口１１００を塞いでいない場合はオスロック１０２４がメスロック１０２３から抜かれている。
【００５３】
蓋１０２１が開口１１００を塞いでいない状態においてオスロック１０２４をメスロック１０２３に挿す力が加えられた場合は、間隙１２２０が広がる方向に引っ掛け部１２００をたわませながら先端部１２４１が間隙１２２０に進入する。先端部１２４１は、最終的に間隙１２２０を通過する。オスロック１０２４がメスロック１０２３に挿され、蓋１０２１が開口１１００を塞いでいる状態になる。
【００５４】
図２の実線及び図７から図９までに示されるように、蓋１０２１が開口１１００を塞いでいる場合は、オスロック１０２４がメスロック１０２３に挿され、根元部１２４０が間隙１２２０に配置され、先端部１２４１が間隙１２２０より底壁１０４０寄りに配置される。先端部１２４１の最大厚さは定常距離Ｄより厚いので、蓋１０２１が開口１１００を塞いでいる場合は、引っ掛け部１２００がたわんで間隙１２２０が定常距離Ｄより広がらない限り、先端部１２４１が間隙１２２０を通過せず、オスロック１０２４がメスロック１０２３から抜けない。蓋１０２１が開口１１００を塞いでいる状態においては、ワイヤーハーネス１０８０が溝１０６０から逸脱しにくい。
【００５５】
オスロック１０２４がメスロック１０２３に最も深くまで挿された場合は、引っ掛け部１２００及び先端部１２４１の間には隙間１２６０が生じる。隙間１２６０がない場合は、わずかな寸法のばらつきでオスロック１０２４をメスロック１０２３に挿すことができなくなる。
【００５６】
蓋１０２１が開口１１００を塞いでいる場合は、板バネ１０２５は、鍔１０２６に当たり、鍔１０２６を介して第１の側壁１０４１を間接的に押圧する。板バネ１０２５が第１の側壁１０４１を押圧する方向は、方向９００１である。
【００５７】
図１０に示されるように、オスロック１０２４がメスロック１０２３に挿されている状態において蓋１０２１を押さえつける力が加えられない場合は、引っ掛け部１２００が先端部１２４１に押し付けられ、引っ掛け部１２００及び先端部１２４１の間の隙間１２６０がなくなる。ガタツキによる異音が抑制される。
【００５８】
ワイヤーハーネス用プロテクター１０００が装着されたワイヤーハーネス１０８０は、典型的には、自動車に取り付けられる。ワイヤーハーネス１０８０は、自動車に搭載された２個以上の機器を電気的に接続する。ワイヤーハーネス用プロテクター１０００が装着されたワイヤーハーネス１０８０が自動車以外の装置に取り付けられてもよい。例えば、ワイヤーハーネス用プロテクター１０００が装着されたワイヤーハーネス１０８０が、自動二輪車等の車両、複写機等に取り付けられてもよい。
【００５９】
ワイヤーハーネス１０８０は、典型的には、分岐を有し、３個以上の機器を電気的に接続する。ワイヤーハーネス１０８０が分岐を有さず２個の機器を電気的に接続する場合もある。
【００６０】
本発明は詳細に示され記述されたが、上記の記述は全ての局面において例示であって限定的ではない。したがって、本発明の範囲からはずれることなく無数の修正及び変形が案出されうると解される。
【符号の説明】
【００６１】
１０００  ワイヤーハーネス用プロテクター
１０２０  ワイヤーハーネス収容体
１０２１  蓋
１０２２  薄肉ヒンジ
１０２３  メスロック
１０２４  オスロック
１０２５  板バネ
１０２６  鍔
１０８０  ワイヤーハーネス
１２００  引っ掛け部
１２４０  根元部
１２４１  先端部
【図１】
2014187826.tif 000003
【図２】
2014187826.tif 000004
【図３】
2014187826.tif 000005
【図４】
2014187826.tif 000006
【図５】
2014187826.tif 000007
【図６】
2014187826.tif 000008
【図７】
2014187826.tif 000009
【図８】
2014187826.tif 000010
【図９】
2014187826.tif 000011
【図１０】
2014187826.tif 000012
【図１１】
2014187826.tif 000013
【図１２】
2014187826.tif 000014